(57)【要約】      （修正有）【課題】避難所、オフィス、家庭などでプライバシーなどを確保するために使用される、低コストで製造でき、組み立てと収納が簡単にでき、十分な強度と自立性を有するパーティションを提供する。【解決手段】ジョイント５を用いて縦方向に連結された段ボール製の複数の単位パネル１を備えた段ボール製の組み立てパーティションであって、ジョイント５を構成する箱体が、単位パネル１のそれぞれの開放されているこぐち面３’に挿嵌され、ジョイント５を構成する箱体が、単位パネル１を構成する箱体中に固定された支持体に支えられている段ボール製の組み立てパーティションとする。【選択図】図１
2017089366.tif 000002
【特許請求の範囲】
【請求項１】
ジョイントを用いて縦方向に連結された段ボール製の複数の単位パネルを備えた段ボール製の組み立てパーティションであって、
前記単位パネルは、単位パネルの遮断面積を確保する表裏一対のパネル面と、単位パネルの厚みを確保する上下一対のこぐち面と、左右一対のこぐち面の６面構成の箱体から構成されており、ただし、前記単位パネルの上下一対のこぐち面のうち連結箇所に相当するこぐち面は開放されており、連結箇所に相当しないこぐち面は、開閉自在であり、
前記ジョイントが、６面構成の段ボール製の箱体から構成されており、当該箱体は、表裏一対の面と、箱体の厚みを確保する上下一対のこぐち面と、左右一対のこぐち面から構成されており、
前記ジョイントを構成する箱体が、連結される単位パネルのそれぞれの開放されているこぐち面に挿嵌されており、
前記ジョイントを構成する箱体が、単位パネルを構成する箱体中に固定された支持体に支えられている、組み立てパーティション。
【請求項２】
下側単位パネルの下部のこぐち面が開放されており、底面に固定された底面ジョイントが挿嵌されている、請求項１記載の組み立てパーティション。
【請求項３】
上側単位パネルの上部のこぐち面が開放されており、天面ジョイントが挿嵌されている、請求項１または２記載の組み立てパーティション。
【請求項４】
縦方向に連結された複数の単位パネルの左右一対のこぐち面のうち、一方のこぐち面に形成した開放孔に挿入された、６面構成の段ボール製の箱体から構成されるジョイントによって、横方向にも連結されている。請求項１〜３のいずれか１記載の組み立てパーティション。
【請求項５】
縦方向に連結された複数の単位パネルの遮断面積を確保する表裏一対のパネル面のうち一方の面に形成した開放孔に挿入された６面構成の段ボール製の箱体から構成されるジョイントを介して、Ｌ字型またはＨ字型に横方向に連結された、請求項１〜３のいずれか１記載の組み立てパーティション。
【請求項６】
単位パネルのパネル面が装飾されている、請求項１〜５のいずれか一項記載の組み立てパーティション。
【発明の詳細な説明】
【技術分野】
【０００１】
本発明は、避難所、オフィス、家庭などでプライバシーなどを確保するために使用される、低コストで製造でき、組み立てと収納が簡単にでき、十分な強度と自立性を有するパーティションに関する。
【背景技術】
【０００２】
近年、頻発している自然災害の発生に際して利用される避難所では、多数の避難者が生活せざるを得ない。そこで、避難者のプライバシーを保護するために、簡易の間仕切りセット（パーティションセット）が提案されている。このようなパーティションには、低コストであること、備蓄スペースを要さずに収納できること、組み立てが容易であること、十分な強度を有すること、倒れた場合にも二次災害を発生しないことなどが要求される。更に、避難所には、体育館など天井が高い施設が利用されるため、天井側から支持しないで自立することも要求される。
【０００３】
また、オフィス、学校、公共施設などにおいても、何らかのイベントの際に、一時的にプライバシーを確保する必要があることがある。家庭においても、プライバシーを確保するための目隠しが必要な場合がある。
【０００４】
このような需要のために、低コストで製造でき、備蓄スペースを要さずに収納でき、組み立てが容易である段ボール製の組み立て式のパーティションが各種提案されている。
【先行技術文献】
【特許文献】
【０００５】
【特許文献１】特開２００３−８２７９６号公報
【特許文献２】特開２００３−１２９５９３号公報
【特許文献３】特開２００６−１６１５２３号公報
【特許文献４】特開２０１０−２５５２３８号公報
【発明の概要】
【発明が解決しようとする課題】
【０００６】
しかし、特許文献１および特許文献２の発明においては、段ボール製の一枚板がパーティションのパネルとして使用されており、遮音効果が十分でないためプライバシーが十分に確保できない、倒れやすい、強度と自立性が十分でないなどの課題があった。段ボール製の箱体をパーティションのパネルとして用い、パネルの連結手段として面ファスナーまたは両面粘着テープを用いている特許文献３の発明では、連結の強度が十分ではなく、また隣のパネルとの直線性を保って固定することが困難である。また、側面視で逆Ｖ字型の壁部を構成している段ボール間仕切りにかかる特許文献４の発明では、横方向に隣接する間仕切りとの連結は可能であるが、縦方向に複数の間仕切りを連結することはできないため、プライバシー確保のための十分な高さを得ることができないという課題があった。
【課題を解決するための手段】
【０００７】
上記課題を解決するために本発明者は鋭意検討を行った結果、段ボール製の箱体をパーティションのパネルとして用い、さらに連結手段であるジョイントとしてやはり段ボール製の箱体を用いてパネルに挿嵌してパネルを連結することにより上記課題を解決できることを発見して、本発明を完成させるに至った。
【０００８】
すなわち、本発明は、以下に関する。
（１）ジョイントを用いて縦方向に連結された段ボール製の複数の単位パネルを備えた段ボール製の組み立てパーティションであって、
前記単位パネルは、単位パネルの遮断面積を確保する表裏一対のパネル面と、単位パネルの厚みを確保する上下一対のこぐち面と、左右一対のこぐち面の６面構成の箱体から構成されており、ただし、前記単位パネルの上下一対のこぐち面のうち連結箇所に相当するこぐち面は開放されており、連結箇所に相当しないこぐち面は、開閉自在であり、
前記ジョイントが、６面構成の段ボール製の箱体から構成されており、当該箱体は、表裏一対の面と、箱体の厚みを確保する上下一対のこぐち面と、左右一対のこぐち面から構成されており、
前記ジョイントを構成する箱体が、連結される単位パネルのそれぞれの開放されているこぐち面に挿嵌されており、
前記ジョイントを構成する箱体が、単位パネルを構成する箱体中に固定された支持体に支えられている、組み立てパーティション。
（２）下側単位パネルの下部のこぐち面が開放されており、底面に固定された底面ジョイントが挿嵌されている、上記１の組み立てパーティション。
（３）上側単位パネルの上部のこぐち面が開放されており、天面ジョイントが挿嵌されている、上記１または２の組み立てパーティション。
（４）縦方向に連結された複数の単位パネルの左右一対のこぐち面のうち、一方のこぐち面に形成した開放孔に挿入された、６面構成の段ボール製の箱体から構成されるジョイントによって、横方向にも連結されている、上記１〜３のいずれか１の組み立てパーティション。
（５）縦方向に連結された複数の単位パネルの遮断面積を確保する表裏一対のパネル面のうち一方の面に形成した開放孔に挿入された６面構成の段ボール製の箱体から構成されるジョイントを介して、Ｌ字型またはＨ字型に横方向に連結された、請求項１〜３のいずれか１記載の組み立てパーティション。
（６）単位パネルのパネル面が装飾されている、上記１〜３のいずれかの組み立てパーティション。
【発明の効果】
【０００９】
上記の構成を有する本発明の組み立てパーティションは、箱体から構成される単位パネルを有するため、立方体としての構造強度を有するとともに、パネル内に空間を有するため、十分な遮音、断熱性能を有する。また、パネル自体が自立性を有している。更に、ジョイントとしても箱体を採用し、かつジョイントである箱体が、連結される単位パネルに挿嵌されているため、連結部分も十分な強度を有し、縦方向および横方向の連結が可能である。このため、用途に応じて十分な高さと所望の形態のパーティションを構成することができる。更にまた、連結箇所に相当しないこぐち面が開閉自在であるため、開閉自在としたこぐち面を開くことによって厚みを消失させて単位パネルを畳んで収納することが可能である。また、本発明の組み立てパーティションは、段ボール製であるため、装飾、加工が容易であり、装飾パネルとしても利用することができる。
【図面の簡単な説明】
【００１０】
【図１】本発明の組み立てパーティションの全体図である。
【図２】単位パネルの展開図の一例である。
【図３】ジョイントを構成する箱体の展開図の一例である。
【図４】支持体の一例である間仕切り構造である。
【図５】支持体の一例である間仕切り構造の展開図である。
【図６】底面に固定された底面ジョイントの一例である。
【図７】底面に固定された底面ジョイントを挿嵌した本発明の組み立てパーティションの全体図である。
【図８】天面ジョイントの展開図の一例である。
【図９】天面ジョイントと、底面に固定された底面ジョイントを挿嵌した本発明の組み立てパーティションの一例の全体図である。
【図１０】単位パネルを横方向に連結した本発明の組み立てパーティションの一例の全体図である。
【図１１】単位パネルを横方向にＬ字型に連結した組み立てパーティションの一例の連結前後の全体図である。
【図１２】単位パネルを横方向にＨ字型に連結した組み立てパーティションの一例の連結前後の全体図である。
【発明を実施するための形態】
【００１１】
以下、本発明の組み立てパーティションについて説明する。
【００１２】
図１に示すように、本発明の組み立てパーティションの一例は、段ボール製の２枚の単位パネル１から構成されている。単位パネル１の素材である段ボールシートは、パルプを主原料とする普通の段ボールシート、またはポリエチレンもしくはポリプロピレンなどを主原料とするプラスチック製段ボールシートである。単位パネル１の寸法規模が大きい場合には、重量物梱包用の強靭な２重段ボールシートを用いることができる。
【００１３】
単位パネル１は、単位パネルの遮断面積を確保する表裏一対のパネル面２と、単位パネルの厚みを確保する上下一対のこぐち面３と、左右一対のこぐち面４の６面構成の箱体から構成されており、ただし、単位パネル１の上下一対のこぐち面３のうち連結箇所に相当するこぐち面３’は開放されており、連結箇所に相当しないこぐち面は、開閉自在である。図２には、単位パネル１の展開図の一例を示す。
【００１４】
単位パネル１の大きさは、用途に応じて適宜決定することができるが、例えば縦８５０mm、横５１５mm、奥行き１４５mmとすることができる。
【００１５】
各単位パネル１は、ジョイント５を用いて縦方向に連結されており、当該ジョイント５もまた、６面構成の段ボール製の箱体から構成されている。そして、ジョイント５を構成する箱体が、連結される単位パネル１のそれぞれの開放されているこぐち面３’に挿嵌されることによって、各単位パネル１は連結されている。当該ジョイント５を構成する箱体の大きさは、単位パネル１内に存在する空間へ挿嵌されることによって単位パネル１を安定に固定し、連結する任意の大きさであることができる。ジョイント５を構成する箱体の展開図の一例を図３に示す。
【００１６】
単位パネル１に挿嵌されているジョイント５を構成する箱体は、単位パネル１を構成する箱体中に固定された支持体に支えられている。このような支持体の一例としては、図４に示すような仕切り構造６が挙げられる。すなわち、単位パネル１を構成する箱体の内側に、支持体である仕切り構造６を接着手段などにより固定することにより、ジョイント５である箱体が安定に支持、固定されている。仕切り構造の展開図の一例を、図５に示す。
【００１７】
本発明の組み立てパーティションでは、下側単位パネル１の下部のこぐち面３を開放し、底面７に固定された底面ジョイント８を挿嵌することによって、パーティションをより安定に保持することができる。底面７に固定された底面ジョイント８は、単位パネル１を安定に保持できる任意の形状である。底面７に固定された底面ジョイント８の一例を図６に示す。図６に示す例では、底面ジョイント８は、単位パネル１と同様に段ボール製であり、底面７に接着手段により固定されている。
【００１８】
底面７に固定された底面ジョイント８を挿嵌した本発明の組み立てパーティションの全体図の一例を図７に示す。
【００１９】
本発明の組み立てパーティションでは、上側単位パネルの上部のこぐち面３を開放して、天面ジョイント９を挿嵌していてもよい。天面ジョイント９は、ジョイント５と同様に、６面体の段ボール製の箱体から構成されており、単位パネル１内に存在する空間への挿嵌が可能な任意な大きさであることができる。天面ジョイント９を構成する箱体の展開図を図８に示す。
【００２０】
天面ジョイント９と、底面７に固定された底面ジョイント８を挿嵌した本発明の組み立てパーティションの全体図の一例を図９に示す。
【００２１】
上述したように、本発明の組み立てパーティションでは、各単位パネル１はジョイント５により縦方向に連結されるが、必要に応じては、上側単位パネルの天面こぐち面を開放して、もう一つのジョイント５を用いて更にもう一つの単位パネル１を上側に連結して３段構造とすることもでき、更に単位パネルを連結して、４段以上の構造とすることもできる。
【００２２】
上述したように、本発明の組み立てパーティションにおいては、各単位パネルは、ジョイントにより縦方向に安定して連結することができる。一方、各単位パネルは、縦方向に連結された複数の単位パネルの左右一対のこぐち面のうち、一方のこぐち面に開放孔を形成し、そこに６面構成の段ボール製の箱体から構成されるジョイントを挿入することによって、横方向にも連結することができる。連結するこぐち面に形成する開放孔は、例えばこぐち面に切れ目を形成し、それを折りこむことによって形成することができる。こぐち面に形成した切れ目を折りこみ、そこに６面構成の箱体を挿入することによって横方向に連結した本発明の組み立てパーティションの一例を図１０に示す。
【００２３】
本発明の組み立てパーティションにおいては更に、横方向の連結のための開放孔を、単位パネルの遮断面積を確保する表裏一対のパネル面のうち一方の面の任意の位置に形成し、そこに６面構成の段ボール製の箱体から構成されるジョイントを挿入することによって、単位パネルを横方向に連結して、例えばＬ字型またはＨ字型に連結した組み立てパーティションを形成することもできる。その一例を図１１および図１２に示す。
【００２４】
なお、本発明には、単位パネルの左右一対のこぐち面のうち一方のこぐち面、又は単位パネルの遮断面積を確保する表裏一対のパネル面のうち一方の面の任意の位置に開放孔を形成し、そこに６面構成の段ボール製の箱体から構成されるジョイントを挿入することによって、横方向のみに連結した組み立てパーティションも包含される。
【００２５】
本発明の組み立てパーティションは、避難所、オフィス、学校、公共施設、家庭などで広く用いることができる。また、段ボール製であるので、装飾、加工が容易であり、装飾、加工を行うことによって、美観を高めることもできる。このような装飾としては、例えば単位パネルの表面を塗装する、色や模様を付した壁紙や樹脂シートを用いてラミネート加工する、ＬＥＤ電球を取り付ける、パネル表面に切れ目を入れて開き、鏡や装飾物をはめ込む、くり抜くなどが挙げられる。
【産業上の利用可能性】
【００２６】
本発明の組み立てパーティションは、低コストで製造でき、備蓄スペースを要さずに収納でき、特別な道具を必要とせずに容易に組み立てができるので、避難所、オフィス、学校、公共施設、家庭などでプライバシーを確保するために有効に用いることができる。また、装飾パネルなど各種用途にも用いることができる。
【符号の説明】
【００２７】
１  単位パネル
２  パネル面
３  上下一対のこぐち面
３’開放されているこぐち面
４  左右一対のこぐち面
５  ジョイント
６  間仕切り構造
７  底面
８  底面ジョイント
９  天面ジョイント
１０  開放孔を形成するための切れ目
１１  ジョイント
【図１】
2017089366.tif 000003
【図２】
2017089366.tif 000004
【図３】
2017089366.tif 000005
【図４】
2017089366.tif 000006
【図５】
2017089366.tif 000007
【図６】
2017089366.tif 000008
【図７】
2017089366.tif 000009
【図８】
2017089366.tif 000010
【図９】
2017089366.tif 000011
【図１０】
2017089366.tif 000012
【図１１】
2017089366.tif 000013
【図１２】
2017089366.tif 000014